(57)【特許請求の範囲】
【請求項１】
製品ウエブ又は個別片が、駆動されるベルト又はチェーンのような定常的コンベヤによって、折り畳む、縁を付ける、エッジを安定化する等の複数の加工位置に案内され、製品ウエブ又は個別片が、定常的コンベヤのコンベヤ要素と定置の対向支持体又は定置のレール又は自由に回転可能な定置のローラとの間において案内され、製品ウエブ又は個別片を定置の対向支持体又は定置のレール又は定置のローラに押付ける複数の押付け手段が設けられ、これらの押付け手段が、コンベヤ要素の長手方向に前後に配置され、それぞれの押付け手段が、定常的コンベヤの長手方向に対して横向きに延びかつ製品ウエブ又は個別片の平面に対して垂直に向けられたスリットを有し、このスリット内に、定置のフレームに固定的に保持された保持ピンがはまっており、この保持ピンが、押付け手段の最大押付け行程を制限し、定常的コンベヤの長手方向に見て保持ピンの近くに少なくとも１つの押付けばね手段が設けられ、この押付けばね手段が、一方において押付け手段に支持され、他方においてコンベヤ要素から遠い方にある押付け手段の側で定置のフレームに支持され、押付け手段が到来するコンベヤ要素に乗り上げるための傾斜した乗り上げエッジを有する、扁平な繊維製品のための製品ガイドシステムにおいて、保持ピン（６）を収容するスリット（５）が、コンベヤ要素（４）に乗り上げる押付け手段（３）の前側端部の近くに配置され、押付けばね手段（７）が、押付け手段（３）の後側端部の近くに配置されていることを特徴とする、繊維製品のための製品ガイドシステム。
【請求項２】
押付けばね手段として押付けばね（７）が、スリット（５）に対して平行に延びる押付け手段（３）のブラインドホール穴にはまっており、ブラインドホール穴が、コンベヤ要素（４）から遠い方の側で押付け手段（３）から外方へ開口していることを特徴とする、請求項１記載の製品ガイドシステム。
【請求項３】
保持ピン（６）がスリット（５）内にはまっており、かつヘッド（１１）を有し、このヘッド（１１）によって、押付け手段（３）が、スリット（５）に対して平行に案内されて、かつ保持ピン（６）の軸線方向に拘束されるか、又は軸線方向に移動しないように保持ピン（６）に保持されていることを特徴とする、請求項１又は２記載の製品ガイドシステム。
【請求項４】
押付け手段（３）が、前側端部にある傾斜した乗り上げエッジ（９）の範囲にローラ（１２）又は類似の回転可能な手段を有することを特徴とする、請求項１ないし３の１つに記載の製品ガイドシステム。
【請求項５】
押付け手段（３）が、コンベヤ要素としてのベルト（４）の方に向きかつベルトに支持される面を、ベルト横断面に相応した輪郭にされ、したがってベルト（４）が、押付け手段（３）によってベルト走行方向に案内されていることを特徴とする、請求項１ないし４の１つに記載の製品ガイドシステム。
【請求項６】
コンベヤ要素としてのベルト（４）が、押付け手段（３）の方に向いた側に突起（１３）を有し、押付け手段（３）が、この突起に合わされたガイド溝（１４）を有することを特徴とする、請求項１ないし５の１つに記載の製品ガイドシステム。
【請求項７】
突起（１３）と溝（１４）が、台形横断面に形成されていることを特徴とする、請求項６記載の製品ガイドシステム。
【請求項８】
押付け手段（３）が、支持面として滑走部を有することを特徴とする、請求項１ないし７の１つに記載の製品ガイドシステム。
【請求項９】
押付け手段（３）が、狭い立方体のブロックからなり、このブロックの下側の狭い面が、支持滑走部を形成していることを特徴とする、請求項１ないし８の１つに記載の製品ガイドシステム。
【発明の詳細な説明】
【０００１】
【発明の属する技術分野】
本発明は、製品ウエブ又は個別片が、駆動されるベルト又はチェーンのような定常的コンベヤによって、折り畳む、縁を付ける、エッジを安定化する等の複数の加工位置に案内され、製品ウエブ又は個別片が、定常的コンベヤのコンベヤ要素と定置の対向支持体又は定置のレール又は自由に回転可能な定置のローラとの間において案内され、製品ウエブ又は個別片を定置の対向支持体又は定置のレール又は定置のローラに押付ける複数の押付け手段が設けられ、これらの押付け手段が、コンベヤ要素の長手方向に前後に配置され、それぞれの押付け手段が、定常的コンベヤの長手方向に対して横向きに延びかつ製品ウエブ又は個別片の平面に対して垂直に向けられたスリットを有し、このスリット内に、定置のフレームに固定的に保持された保持ピンがはまっており、この保持ピンが、押付け手段の最大押付け行程を制限し、定常的コンベヤの長手方向に見て保持ピンの近くに少なくとも１つの押付けばね手段が設けられ、この押付けばね手段が、一方において押付け手段に支持され、他方においてコンベヤ要素から遠い方にある押付け手段の側で定置のフレームに支持され、押付け手段が到来するコンベヤ要素に乗り上げるための傾斜した乗り上げエッジを有する、扁平な繊維製品のための製品ガイドシステムにおいて、に関する。
【０００２】
【従来の技術】
このような製品ガイドシステムは、例えばヨーロッパ特許第０５１７７４６号明細書により公知である。
【０００３】
公知の装置はそれ自体定評のあるものであるとはいえ、経験的に、押付け手段は、製品ガイドシステムを規定に応じて利用する際、騒音を形成する傾向があることがわかっており、このことは、不都合である。とくに繊維製品が供給され、かつ歯付きベルトと対応する土台面との間において案内される繊維製品の縁エッジが押付け手段の範囲に侵入したとき、このような騒音形成が生じる。
【０００４】
【発明が解決しようとする課題】
この従来の技術から出発して、本発明の課題は、押付け手段の騒音形成がかなりの程度まで阻止された、初めに述べたような製品ガイドシステムを提供することにある。
【０００５】
【課題を解決するための手段】
この課題を解決するために、本発明は次のことを提案する。すなわち保持ピンを収容するスリットが、コンベヤ要素に乗り上げる押付け手段の前側端部の近くに配置され、押付けばね手段が、押付け手段の後側端部の近くに配置されている。
【０００６】
保持ピン用のスリットが、もはや相応する押付け手段の中央に配置されているのではなく、スリットが、押付け手段の入口側にずらされて配置されていることによって、押付け手段の他方の端部に配置されたばねと結合して押付け手段のこれまで生じた騒音形成が阻止されている。とくに押付け手段の下への繊維ウエブ又は繊維片の縁エッジの侵入の際の押付け手段のばたつき傾向は、この構成によって実質的に完全に排除されている。選ばれた配置の結果、押付け手段は、もはや“ばたつく”ことはなく、これは、偏心ガイドと弾性支持により、ばたつくことなく歯付きベルトに押付けて保持される。
【０００７】
加えてなるべく次のことが考慮されている。すなわち押付けばね手段は、とくに押付けばねは、一方の端部により押付け手段のブラインドホール切り欠き内にはまっており、その際、ブラインドホール穴が、スリットに対して平行に延びており、かつコンベヤ手段、とくにベルトから離れた方の側において押付け手段から外に口を開いている。
【０００８】
この処置は、それ自体従来の技術により周知である。それにより押付け手段の追加的なガイドが保証され、その際、加えてなるべくコイルばねとして構成された押付けばねは、場合によっては生じる押付け手段の傾斜運動に追従することができる。なぜならこのばねは、押付け手段の上側エッジと相応したフレームに固定のばねの対向支持体との間の露出した範囲において、自由に曲がることができるからである。
【０００９】
加えてなるべく次のことが考慮されている。すなわちガイド手段が保持ピンであり、この保持ピンは、スリット内にはまっており、かつ手段を有し、これら手段によって、押付け手段は、スリットに対して平行に案内されており、かつ保持ピンに対して軸線方向に拘束されており、又は軸線方向に移動しないように保持ピンに保持されている。
【００１０】
このようにして、押付け手段が、軸線方向に保持ピンから下方にすべることがないことが保証されている。手段は、例えば保持ピンのカラーによって、保持ピンの頭部によって又は保持ピントに取付けられた突出したリング要素等によって形成してもよく、これらは、押付け手段の１つ又は複数の外面の外側に支持されるか、又はこれらは、押付け手段のスリットの溝内において案内されている。
【００１１】
加えてなるべく次のことが考慮されている。すなわち押付け手段は、傾斜した乗り上げエッジの範囲にローラ又は類似の回転可能な手段を有する。
【００１２】
それにより押付け手段の下への織物ウエブ等の侵入が容易になり、その際、織物の縁エッジにより、押付け手段の方向に歯付きベルトの所定の変形が行なわれるので、擬似的に段が形成されている。この段は、押付け手段の乗り上げ傾斜部におけるローラ又は類似の回転可能な手段によって引っ掛かることなく挿入されるので、騒音の少ない走行及び支障ない動作は、なお改善されており、かつ保証されている。
【００１３】
加えてなるべく次のことが考慮されている。すなわち押付け手段は、コンベヤ要素、とくにベルトの方に向きかつここに支持されたその面において、コンベヤ要素又はベルト横断面に相応した輪郭にされており、したがってコンベヤ要素又はベルトは、押付け手段によって走行方向に案内されている。
【００１４】
その際、なるべく次のことを考慮することができる。すなわちコンベヤ要素又はベルトは、押付け手段の方に向いたその側に、突起を有し、かつ押付け手段は、これに合わされたガイド溝を有する。
【００１５】
その際、突起と溝が、台形横断面に形成されていることは有利である。
【００１６】
相応した形成によって、ベルトは、相応する押付け手段によって側方において案内されており、このことは、製品ガイドシステムの動作にとって、かつその騒音の少ない走行にとって有利である。
【００１７】
【発明の実施の形態】
本発明の実施例は、図面に示されており、かつ次に詳細に説明する。
【００１８】
図面に、とくに繊維ウエブの自動切断及び裁縫装置又は類似の繊維加工装置用の繊維製品のための製品ガイドシステムが示されている。繊維ウエブ１又は個別片は、なるべくそれらのエッジにおいて、駆動されるベルトのような定常的コンベヤによって、折り畳む、縁を付ける、エッジを安定化する等の位置のような加工位置に案内される。その際、製品ウエブ１又は個別片は、エンドレスベルトと定置のレール２又は定置のローラ（自由に回転可能な）との間において案内され、その際、繊維ウエブ１を定置のレール２等に対して押付けるために手段が設けられている。そのためその平らな側によって繊維ウエブ１に接するベルトは、それぞれその反対側において、複数の弾性押付け手段３によって支持されている。ベルトは、歯付きベルト４として構成されており、かつベルトの歯側に支持された弾性押付け手段３は、ベルトの長手方向に前後に互いに間隔を置いて配置されている。それぞれの押付け手段３は、長手方向に対して横向きに延びかつ繊維ウエブ平面に対して垂直に向けられたスリット５を有し、このスリット内に、フレームに固定に保持された保持ピン６がはまっており、この保持ピンは、押付け手段３の最大位置を制限している。それにより押付け手段３は、図１において垂直に制限されて可動である。押付け手段３の長手方向に見て、保持ピン６に並んで押付けばね７が配置されており、この押付けばねは、一方において押付け手段３において、かつ他方において定置の縁又は類似のフレーム部分８において案内されている。押付け手段３は、歯付きベルト４の歯の乗り上げ方向に傾斜した乗り上げエッジ９を有する。
【００１９】
保持ピン６を収容するスリット５は、歯付きベルトのの乗り上げ方向において（走行方向は１０のところに概略的に示されている）押付け手段３の前側の端部の近くに配置されているが、一方押付けばね７は、押付け手段３の後側端部の近くに配置されている。押付けばね７は、コイル圧縮ばねとして構成されており、かつ押付け手段３のブラインドホール切り欠き内に挿入されれている。ブラインドホール穴は、スリット５に対して平行に延びており、かつ歯付きベルト４から離れた方の側において押付け手段３から外に口を開いている。保持ピン６は、スリット５内にはまっており、かつ追加的に手段１１を有し、これら手段によって、押付け手段３は、スリット５に対して平行に案内されており、かつこれら手段によって、この押付け手段は、保持ピン６に対して軸線方向に拘束されている。本実施例においてこの手段は、ヘッド１１によって形成されており、このヘッドは、押付け手段３の側面に支持されており、したがってピン６において軸線方向運動を阻止する。
【００２０】
なるべく押付け手段３は、傾斜した乗り上げエッジ９の範囲にローラ１２又は類似の回転可能な手段を有する。とくに図４による表示から明らかなように、押付け手段３は、歯付きベルト４の方に向きかつここに支持されたその面において、ベルト横断面に相応した輪郭を有し、したがって歯付きベルト４は、押付け手段３によって走行方向に案内されている。
【００２１】
図４においてこの部分は、間隔を置いて示されているが、実際には要素は、図１から明らかなように、互いに接している。
【００２２】
歯付きベルト４は、押付け手段３の方に向いたその側に、突起１３を有し、かつ押付け手段３は、これに合わされたガイド溝１４を有する。突起１３と溝１４は、台形横断面に形成されているので、部分が互いに噛み合った際に、良好な案内及び心出しが保証されている。
【００２３】
本発明による構成によれば、図１において明らかなように、繊維ウエブ１の侵入の際に、押付け手段３のばたつき傾向は減少される。なぜならこれは、侵入する繊維ウエブ１に相応して上方へ移動することができるが、その際、押付けばね７によって定義されて弾性初応力を受けて保持されるので、押付け手段３の“ばたつき”が防止されるからである。加えて侵入傾斜部９におけるベルト４の引っ掛かりは、ベルトに支持されるローラ１２によって回避される。
【００２４】
本発明は、実施例に限定されるものではなく、開示の枠内において多様に変更することができる。
【００２５】
明細書及び／又は図面に開示された新しいすべての個別及び組合わせ特徴は、本発明にとって重要とみなされる。
【図面の簡単な説明】
【図１】本発明による製品ガイドシステムの主要部分を示す図である。
【図２】製品ガイドシステムの細部を示す側面図である。
【図３】製品ガイドシステムの細部を示す正面図である。
【図４】製品ガイドシステムの細部を示す正面図である。
【符号の説明】
１  繊維ウエブ
２  レール
３  押付け手段
４  歯付きベルト
５  スリット
６  保持ピン
７  押付けばね
８  フレーム部分
９  乗り上げエッジ
１２  ローラ
１３  突起
１４  ガイド溝
【図１】
0003947942.tif 000002
【図２】
0003947942.tif 000003
【図３】
0003947942.tif 000004
【図４】
0003947942.tif 000005